(57)【要約】      （修正有）【課題】優れた断熱性、保温性を有し、無毒、回収可能、環境保全で、使用して捨てたあとでも、処理上の問題や環境への負荷はない断熱紙カップを提供する。【解決手段】インナー紙カップ、中間層とアウト紙シートを備えてなる成断熱紙カップであり、該インナー紙カップは片側をカップの底部に、他方側を開口部に設けられ、該開口部の縁に突出縁があるが、該中間層は、ポリ乳酸の発泡材を使用して、インナー紙カップの周辺に設けられている。該アウト紙シートは、内側面を中間層に貼り付け、外側面に文字、図案などが印刷されている。【選択図】図３
0003168341.tif 000002
【実用新案登録請求の範囲】
【請求項１】
液体を盛るように、片側を開口部に、片側を密閉した中空円錐柱体に設けられることを備えてなるインナー紙カップ、
インナー紙カップとアウト紙シートに挟まれている空間になる中間層が備わり、該中間層は、ポリ乳酸（Ｐｏｌｙ  Ｌａｃｔｉｃ  Ａｃｉｄ、略称ＰＬＡ）発泡材で構成される、やや厚みのある断熱構造であり、そして、
紙材料で作られ、インナー紙カップ全体の周縁の表面を完全に包むように、ガード構造として設けられるアウト紙シートが備えてなることを特徴とする断熱紙カップ。
【請求項２】
中間層は、射出、フィルム貼り、ラミネートなど加工方法で形成されることを特徴とする請求項１に記載の断熱紙カップ。
【請求項３】
見た目や視覚効果をよくするように、アウト紙シートの表面に必要な図案、文字やカラーが印刷されることを特徴とする請求項１に記載の断熱紙カップ。
【考案の詳細な説明】
【技術分野】
【０００１】
本考案は、紙製容器の改良に関し、特にインナー紙カップ、中間層とアウト紙シートからなる容器構造で、各層の特性を結合した該三層式構造によって、紙カップに断熱、保温、断冷）保冷、そして結露せず、環境保全の効果を兼ね備えた断熱紙カップに関する。
【背景技術】
【０００２】
従来の簡易な紙製容器は通常、表面処理をせず、一層の紙材料で粘着された紙カップ、または紙茶碗の形に設けられているが、作りやすく、コストも安いものであるが、一層の紙材料で作られたもので、断熱効果が悪くて、高熱の飲み物を入れているとき、断熱効果が全くなく、火傷の事故が起こりがちである。
【０００３】
このようや簡易な紙製容器は、使用上に必要な安全ニーズに適用しないため、次第に淘汰されるようになったが、一部の高級な紙製容器は、Ｗａｘ  Ｃｏａｔｉｎｇ（ワックス塗装）またはＬＤＰＥ  Ｃｏａｔｉｎｇ（低密度ポリエチレンの塗装）処理で行なわれるだけで、次のような欠点がある。
【０００４】
１．  装置が高くて投資困難：
当該製品を製造するための装置、例えば、ワックスやポリエチレンの塗装装置、赤外線の加熱装置は非常に高くて、台湾ドル千万元の投資もかかるもので、一般的な業者や個人の収得で購入したり、負担したりできるものではない。それで、企業や個人の投資願望が低下されることになり、たとえ、当該装置を購入したとしても、単位の製造コストがやはり高くて、それが製品価格にも反映されることで、その価格も高くなるのである。
【０００５】
２．  外部拡大式の発泡印刷效果が悪い
このような製品の製造方法は、紙材料の外層の周縁に若干の発泡材質を均等に塗布してから、紙製容器の成形、発泡、図案印刷などの手順を行なうが、しかし、発泡過程を経て、カップ体の外縁に発泡の孔や不規則な凹凸があって、図案や色がぼかされ、まとまった形に印刷されるのが難しい。
【０００６】
それゆえ、業界で、既有のプラスチック材料から、分解可能な材料を試していたが、なかなかよい効果を得られず、廃棄処理の時に環境汚染になる恐れがある。
【０００７】
本考案の発明者は、断熱容器に用いられる材料に不十分なところが分かり、関連製品の開発に関する長年の経験を持って、その解決策を求め、永続的、環境にやさしい、値ごろ価格のものを作ろうと、ようやく、簡単で低コスト、産業上の利用価値が満たされ、安全、断熱効果のあるオリジナルな“断熱紙カップ”を開発したのである。
【考案の概要】
【考案が解決しようとする課題】
【０００８】
本考案は、ポリ乳酸（Ｐｏｌｙ  Ｌａｃｔｉｃ  Ａｃｉｄ，簡稱ＰＬＡ）の発泡材を、射出、フィルム貼り、ラミネートなどの方法で、インナー紙カップとアウト紙シートに挟まれる空間になる中間層を形成し、やや厚みがあり、断熱、保温、断冷、保冷、結露もしない効果を有効に持つ断熱紙カップを提供することを目的とする。
【０００９】
本考案は、アウト紙シートの表面に、きれいな図案を印刷し、保護効果と見た目のよさ、実用性を有する断熱紙カップを提供することを目的二とする。
【００１０】
本考案は、入手しやすい材料のポリ乳酸を利用して、製造工程が簡単、作りやすく、大量生産が可能で、コストを有効に削減でき、産業に十分な運用を提供するほかに、ポリ乳酸は大自然に分解されるもので、環境汚染に与えない環境保全効果を有する断熱紙カップを提供することを目的三とする。
【００１１】
本考案に関して、審査員に深く理解させるために、本考案の好適な実施例を挙げ、図面を参照して本考案のほかの機能や目的を説明するが、これらは、本考案に対していずれかの形式で制限してはならず、本考案の精神を逸脱しない限りにおいて、本考案の種々の改変を行なうことができ、そして、本考案が該改変されたものに及ぶことは当然である。
【図面の簡単な説明】
【００１２】
【図１】本考案の好適な実施例の断熱紙カップと蓋体の分解図。
【図２】本考案の好適な実施例の断熱紙カップ構造の分解図。
【図３】本考案の好適な実施例の断熱紙カップ構造の組合図。
【図４】本考案の好適な実施例の断熱紙カップ構造の断面図。
【図５】本考案のもう一つの好適な実施例の断熱紙カップと蓋体を結合した場合のイメージ。
【考案を実施するための形態】
【００１３】
図１に示すのは、本考案の部品の大部分の分解図で、該断熱紙カップ（１）に合わせるための蓋体（２）を設けてもよいが、該蓋体（２）は市販されている飲み物、コーヒーなどに用いられるが、該蓋体（２）の中央または縁に近いところには、ストローを差込み、直接に飲めるように、開口部が設けられている。
【００１４】
図２に示すのは、本考案の断熱紙カップの構成部位の分解図で、該断熱紙カップ（１）は、インナー紙カップ（１１）、中間層（１２）とアウト紙シート（１３）を備えてなる三層式構造であり、該インナー紙カップ（１１）は、一般的によく見られる紙カップと同じようなもので、
液体を盛るように、片側を開口部に、片側を密閉した中空円錐柱体（しかし、本考案はその形状に制限されないものとする）に設けられているが、該アウト紙シート（１３）は、紙材料で作られ、インナー紙カップ（１１）全体の周縁の表面を完全に包むように、ガード構造として設けられているが、見た目や視覚効果をよくするように、該アウト紙シート（１３）の表面に必要な図案、文字やカラーが印刷されるが、また、インナー紙カップ（１１）とアウト紙シート（１３）に挟まれる空間内に中間層（１２）が設けられているが、該中間層（１２）は、ポリ乳酸（Ｐｏｌｙ  Ｌａｃｔｉｃ  Ａｃｉｄ，簡稱ＰＬＡ）の発泡材によって作られ、射出、フィルム貼り、ラミネートなどといった加工方法で、やや厚みのある断熱構造が形成されるが、該ポリ乳酸は、トウモロコシで作られた環境保全材料であり、
（Ａ）表面の粘著力─インクと粘着材が素早く結合されること、
（Ｂ）透湿性─水蒸気通過が可能で、結露の恐れを低減させること、
（Ｃ）透明で光沢がある─視覚上の美しさや見た目の良さ、
（Ｄ）香りや臭いの遮断性─飲み物の香りを持つこと、
（Ｅ）耐油性─大部分の食品用オイルに対して優れた耐油性あり、
（Ｇ）印刷性─きれいな図案がその表面に印刷されること、
（Ｈ）硬度─同じ強度を受けた場合、厚みが従来のプラスチック材のより薄いこと、
（Ｉ）熱接着性─スピーディで低温密封されること
が特色である。
【００１５】
その長所として、
（ａ）天然なるもの─天然なるトウモロコシが材料として使用され、安定して入手したり、供給されたりできる。
【００１６】
（ｂ）無毒─食品接触材料の安全規制に適合するもので、安心して食品を盛って利用できる。
【００１７】
（ｃ）環境保全─完全生分解性の環境保全材料なので、大自然の中で自然に二酸化炭素と水に分解されるので、環境にやさしく、環境汚染などの心配は不要である。
【００１８】
上述のポリ乳酸の発泡材で作られる中間層（１２）の性質を利用して、インナー紙カップ（１１）とアウト紙シート（１３）と共に結合してなる本考案の断熱紙カップ（１）であるが、図３、図４に示すのは、該断熱紙カップの組合図とその断面図である。
【００１９】
それにより、使用上、該断熱紙カップ（１）に熱い・温かい飲み物を盛っているときは、該三層式構造によって、断熱性も保温効果もよくなるが、逆の場合、該断熱紙カップ（１）に氷や冷たい飲み物を盛っているときは、同じく該三層式構造によって、最高な断冷、保冷效果があり、断熱紙カップ（１）の表面に結露もなく、それを手にするのも便利である。
【００２０】
図５に示すように、本考案の断熱紙カップ（１）は、使用上の多様化なニーズに対応するために、盛る容量により、様々なサイズが提供されるが、そこで、開口部の直径は同じであるが、高さは異なるだけであり、そういう状況で、蓋体（２）をするとき、単一サイズの蓋体（２）に、各種のサイズの断熱紙カップ（１）を組み合わせることができるので、コスト削減、経済的効果がある。
【００２１】
上述の本考案の構造は簡単、新規性、実用性があり、新型実用新案請求要求に適合するものであるため、規定に従って新型実用新案出願を行なうわけである。
【００２２】
ただし、上述したのは、本考案の好適な実施例に関する内容のみで、本考案の説明書や図面内容をもとに、それを改変してそれと同等な効果を得たものでも、すべて本考案の実用新案請求範囲に含まれるものとする。
【符号の説明】
【００２３】
１      断熱紙カップ
１１    インナー紙カップ
１２    中間層
１３    アウト紙シート
２      蓋体
【図１】
0003168341.tif 000003
【図２】
0003168341.tif 000004
【図３】
0003168341.tif 000005
【図４】
0003168341.tif 000006
【図５】
0003168341.tif 000007